(57)【要約】【課題】片口金放電灯の周りを覆うフード内が冷却され難く、片口金放電灯の照度を常に安定して維持することができる片口金式照明器具を提供する。【解決手段】片口金放電灯１と、この片口金放電灯１が接続されるソケット２と、片口金放電灯１の周りを覆うとともに当該片口金放電灯１の軸心方向に沿う両端が開口されたフード３とを備え、このフード３の一方の開口端３ａ側にソケット２が臨んで配置されており、フード３は、片口金放電灯１のソケット２との接続側から放電管１１側に向かうにつれて次第に縮径されている。【選択図】図１
2008140570.tif 000002
【特許請求の範囲】
【請求項１】
片口金放電灯と、この片口金放電灯が接続されるソケットと、前記片口金放電灯の周りを覆うとともに当該片口金放電灯の軸心方向に沿う両端が開口されたフードとを備え、このフードの一方の開口端側に前記ソケットが臨んで配置されている片口金式照明器具であって、前記フードは、前記片口金放電灯のソケット接続用の口金部側から放電管側に向かうにつれて次第に縮径されていることを特徴とする片口金式照明器具。
【請求項２】
前記フードは、ソケット近傍の一方の開口端側と反対側の開口端から前記口金部側に向かうにつれて次第に縮径されていることを特徴とする請求項１に記載の片口金式照明器具。
【請求項３】
前記フードの内径が最も小さい箇所には、径方向内方に向けて張り出したリング状のつば部が設けられていることを特徴とする請求項２に記載の片口金式照明器具。
【発明の詳細な説明】
【技術分野】
【０００１】
本発明は、片口金放電灯の口金部をソケットに嵌め込んで僅かに回転させることによりソケットに機械的、電気的に接続される構成を有する片口金式照明器具に関し、特には天井面に埋め込まれて使用される片口金式照明器具に関するものである。
【背景技術】
【０００２】
従来の片口金式照明器具として、片口金放電灯と、天井等に取り付けられたソケットとを備え、片口金放電灯の口金部をソケットに嵌め込んで僅かに回転させることにより、片口金放電灯がソケットに機械的に固定される同時に、電気的にも接続されるようにした構成ものがある（例えば、特許文献１参照）。以下、この種の構成のものをロック式と称する。
【０００３】
この従来のロック式の片口金式照明器具は、通常の電球のように、螺旋ねじ状に形成された口金部をソケットにねじ込んで固定する、いわゆるねじ式のものに比べると、片口金放電灯のソケットへの取り付けを簡単に行えるという利点がある。
【０００４】
また、従来のロック式の片口金式照明器具は、天井内に埋め込んで使用されることがあるが、この場合、片口金放電灯の光が室内に効率良く照射されるように、片口金放電灯を覆うフードを設け、このフード内に片口金放電灯を収納した状態で天井に埋め込む構成が採用される（例えば、特許文献２参照）。
【０００５】
特に、上記の特許文献２に記載の片口金式照明器具においては、室内換気により室内が外気よりも負圧となった場合に、屋根裏側から室内側に流入する冷気がフード内に導かれて片口金放電灯の水銀蒸気供給源であるアマルガム部の温度を急激に低下させないように、フードのアマルガム部が設けられた口金部近傍から離れた位置、すなわち、フードの口金部近傍位置と室内側端部との略中間位置に開口部を設けている。この構成により、天井裏からフードの開口部を通じてフード内に冷気が流入しても直接にアマルガム部を冷却しないようにして、片口金放電灯の温度低下に基づく出力低下を回避している。
【特許文献１】特開２００５−２８５５０８号公報
【特許文献２】特開２００５−２１６５０７号公報
【発明の開示】
【発明が解決しようとする課題】
【０００６】
ところで、従来からアマルガム部を設けていない、いわゆるノーマルタイプとして知られる片口金放電灯が提供されているが、このノーマルタイプの片口金放電灯は、口金部近傍の温度が高く、口金部から最も離れた放電管の先端部の温度が最も低くなっており（最冷点と称せられる）、この最冷点の温度によって放電管の照度特性が決定される。
【０００７】
したがって、このようなノーマルタイプの片口金放電灯を上記の特許文献２記載の構成を備えたフード内に単純に取り付けたときには、天井裏側からフードの開口部を通じて内部に流入した冷気が冷たいまま最冷点を通過することになるため、最冷点が冷却されて温度が低下し、その結果、照度低下をきたすおそれがある。
【０００８】
本発明は、上記背景技術に鑑みてなされたものであり、フード内が冷却され難く、片口金放電灯の照度を常に安定して維持することができる片口金式照明器具を提供することを課題とする。
【課題を解決するための手段】
【０００９】
上記課題を解決するために、請求項１記載の発明に係る片口金式照明器具は、片口金放電灯と、この片口金放電灯が接続されるソケットと、前記片口金放電灯の周りを覆うとともに当該片口金放電灯の軸心方向に沿う両端が開口されたフードとを備え、このフードの一方の開口端側に前記ソケットが臨んで配置されているものであって、前記フードは、前記片口金放電灯のソケット接続用の口金部側から放電管側に向かうにつれて次第に縮径されていることを特徴としている。
【００１０】
また、請求項２記載の発明に係る片口金式照明器具は、請求項１に記載の発明の構成において、前記フードは、ソケット近傍の一方の開口端側と反対側の開口端から前記口金部側に向かうにつれて次第に縮径されていることを特徴としている。
【００１１】
また、請求項３記載の発明に係る片口金式照明器具は、請求項２に記載の発明の構成において、前記フードの内径が最も小さい箇所には、径方向内方に向けて張り出したリング状のつば部が設けられていることを特徴としている。
【発明の効果】
【００１２】
請求項１記載の発明によれば、フードは、片口金放電灯のソケット接続用の口金部側から放電管側に向かうにつれて次第に縮径されているので、天井裏からフードのソケット側の開口端を通って冷気が流入しても、この冷気は片口金放電灯の比較的温度の高い口金近傍を通過するため加熱され易くなる。このため、フード内部の温度低下を回避することができ、片口金放電灯の照度を常に安定して維持することができる。
【００１３】
また、請求項２記載の発明によれば、フードは、ソケット近傍の一方の開口端側と反対側の開口端から前記口金部側に向かうにつれて次第に縮径されているので、フード内部で放電管からの発熱によって暖められた暖気が口金部近傍に集中することとなり、天井裏から流入した冷気が口金近傍を通過する際に、さらに加熱され易くなり、フード内部の温度低下を回避することができる。
【００１４】
また、請求項３記載の発明によれば、フードの内径が最も小さい箇所には、径方向内方に向けて張り出したリング状のつば部が設けられているので、天井裏から流入した冷気に伴う埃の侵入を抑止することができる。
【発明を実施するための最良の形態】
【００１５】
以下、本発明の実施の形態について、図面を参照して詳しく説明する。図１は本発明の実施の形態における片口金式照明器具の正面断面図、図２は同照明器具を構成する片口金放電灯とソケットを示す分解斜視図、図３は片口金放電灯を示す正面図、図４は片口金放電灯を口金部側から見た平面図、図５はソケットを底面側から見た平面図である。
【００１６】
この実施の形態のロック式の片口金式照明器具は、天井埋込形のもので、ノーマルタイプの片口金放電灯１と、この片口金放電灯１が接続されるソケット２と、片口金放電灯１の周りを覆うとともに当該片口金放電灯１の軸心方向に沿う両端が開口されたフード３とを備える。
【００１７】
そして、フード３の一方の開口端３ａ側にソケット２が臨んで配置されるとともに、フード３とソケット２とは、図示しない取り付け部材によって一体的に配置固定され、さらに、ソケット２には図示しない点灯回路が接続されている。
【００１８】
ここに、片口金放電灯１は、二重螺旋式の放電管１１と、この放電管１１の端部が収容されるベース部１２と、このベース部１２の放電管１１の一端を収容する側と反対側に設けられた口金部１３と、この口金部１３から突出された４つの端子部１４とで構成されている。
【００１９】
この場合、放電管１１は、ベース部１２との取り付け側と反対側の端部から見ると時計回りに巻回されている。なお、この放電管１１自体の構成は、例えば特開２００３−１７３７６０号公報に記載されているような公知のものである。
【００２０】
また、ベース部１２は、外観が略円柱状のＰＥＴ樹脂の成形体であり、外部に露出する面全体にアルミニウムを蒸着した皮膜が設けられている。また、ベース部１２の内部には放電管１１の図示しない端部電極が収容されて固定され、この端部電極から引出される図示しないリード線がベース部１２および口金部１３を通して端子部１４に電気的に接続されている。
【００２１】
そして、図４に示すように、ベース部１２の外周面の上端には平面視で略四角状をした一対の凸部１２ａが相対向して形成されている。これらの凸部１２ａは後述するフード３のつば部３ｃに設けられた凸部３ｄと位置合わせする際の目印として機能する。
【００２２】
口金部１３は、図４に示すように、ベース部１２と一体成形されていて外観が略直方体状をしており、その左右前後の外形寸法はベース部１２の外径寸法よりも小さな形状となっている。そして、この口金部１３には、その中央にソケット２の給電端子１７と電気的に接続される端子部１４が突出されている。また、口金部１３の外周部には、ソケット２への挿入位置を規制する一対の係合突起部１３ａと、ソケット２への挿入時に挿入位置をガイドする一対の切欠部１３ｂとがそれぞれ形成されている。
【００２３】
この場合、各係合突起部１３ａの形成位置は、ベース部１２に形成されている目印としての凸部１２ａの形成位置に対応させて形成されている。すなわち、両係合突起部１３ａは、両凸部１２ａ間を結ぶ同一線上に位置するように形成されている。
【００２４】
一方、ソケット２は、図５に示すように、外観が略直方体状のＰＥＴ樹脂の成形体であり、その内部には口金部１３が嵌合される凹部２ｃが形成され、この凹部２ｃ内には、その中央底部に各端子部１４が挿入されて電気的に接続される給電端子１７が設けられ、また、凹部２ｃの内周壁には口金部１３の係合突起部１３ａが挿着される２つの切り溝２ａと、口金部１３の一対の切欠部１３ｂに係合する２つの凸片部２ｂとがそれぞれ形成されている。この場合、上記の各切り溝２ａは、凹部２ｃの開口端側から深さ方向に沿って延設された後、凹部２ｃの底面側において時計回り方向に僅かに周回される形状に形成されている。
【００２５】
フード３は、外形が略鼓状に形成されるとともに、その軸心方向の両端が開口されたＰＢＴ樹脂製の薄肉の成形体であって、ソケット２側の開口端３ａから放電管１１側に向かうにつれて次第に縮径されるとともに、ソケット２側とは反対の室内側の開口端３ｂから口金部１３側に向かうにつれて次第に縮径されている。したがって、このフード３は、両開口端３ａ，３ｂの途中の放電管１１とベース部１２との接続箇所に略対応する位置が最小径箇所となっている。
【００２６】
そして、この最小径箇所の内周面には、径方向内方に向けて幅５ｍｍ程度に張り出したリング状のつば部３ｃが形成されており、このつば部３ｃにベース部１２の凸部１２ａと位置合わせするための目印となる平面視で略三角状をした一対の凸部３ｄが径方向内方に向けて突出形成されている。この場合、各凸部３ｄの形成位置は、ソケット２に形成されている切り溝２ａの形成位置に対応させて形成されている。すなわち、凸部３ｄはソケット２の切り溝２ａの形成箇所と同一線上に位置するように形成されている。
【００２７】
また、フード３の内周面の内、放電灯６に臨む内周面（つば部３ｃから室内側の開口端３ｂにわたる内周面）にはアルミ蒸着によって鏡面仕上げされた反射膜３ｅが形成されている。
【００２８】
上記構成の片口金式照明器具において、片口金放電灯１をフード３内に挿入してソケット２に取り付ける際には、片口金放電灯１のベース部１２の凸部１２ａとフード３の凸部３ｄとを目印として位置合わせをすれば、口金部１３の係合突起部１３ａの位置とソケット２の切り溝２ａの位置とが一致し、かつ、口金部１３の切欠部１３ｂの位置とソケット２の凸片部２ｂの位置とが一致することになる。
【００２９】
この場合、フード３の内周面において、位置合わせ用の目印としての凸部３ｄが形成された近傍は鏡面仕上げされた反射膜３ｅが形成されているので、フード３の内周面から隆起して立体的に形成された凸部３ｄが反射膜３ｅで反射されて視認できるとともに、片口金放電灯１をフード３内に挿入した際に、ベース部１２の外周面に形成された目印としての凸部１２ａも反射膜３ｅで反射されて視認することができる。このため、目視で口金部１３とソケット２との位置関係を容易に把握することができる。
【００３０】
そこで、口金部１３とソケット２との位置関係を確認した上で、片口金放電灯１の口金部１３をソケット２に押し付けると、口金部１３の係合突起部１３ａがソケット２の切り溝２ａ内に挿入されるとともに、口金部１３の切欠部１３ｂにソケット２の凸片部２ｂが係合し、さらに、端子部１４が給電端子１７に挿入される。そして、口金部１３がソケット２の凹部２ｃの最奥に位置した段階で片口金放電灯１を時計方向に回すことで、係合突起部１３ａが切り溝２ａに沿って回動し、片口金放電灯１がソケット２に確実に固定される。
【００３１】
このように、この実施の形態の片口金式照明器具において、フード３は、片口金放電灯１の口金部１３側から放電管１１側に向かうにつれて次第に縮径されているので、片口金放電灯１をソケット２に挿着した状態において、図１に破線で示すように、天井裏からフード３のソケット側の開口端３ａを通って冷気が流入しても、この冷気は片口金放電灯１の比較的温度の高いベース部１２および口金部１３の近傍を通過するために加熱され易くなる。このため、フード３内部の温度低下を回避することができ、片口金放電灯１の照度を常に安定して維持することができる。
【００３２】
さらに、フード３は、室内側の開口端３ｂから口金部１３側に向かうにつれて次第に縮径されているので、フード３内部で放電管１１からの発熱によって暖められた暖気が口金部１３近傍に集中することとなり、天井裏から流入した冷気が口金部１３の近傍を通過する際に、さらに加熱され易くなり、フード３内部の温度低下を回避することができる。また、フード３の内径が最も小さい箇所には、リング状のつば部３ｃが設けられているので、天井裏から流入した冷気に伴う埃の侵入を防止することができる。
【図面の簡単な説明】
【００３３】
【図１】本発明の実施の形態における片口金式照明器具の正面断面図である。
【図２】同照明器具を構成する片口金放電灯とソケットを示す分解斜視図である。
【図３】片口金放電灯を示す正面図である。
【図４】片口金放電灯を口金部側から見た平面図である。
【図５】ソケットを底面側から見た平面図である。
【符号の説明】
【００３４】
１…片口金放電灯
２…ソケット
２ａ…切り溝
２ｂ…凸片部
２ｃ…凹部
３…フード
３ａ，３ｂ…開口端
３ｃ…つば部
３ｄ…凸部
３ｅ…反射膜
１１…放電管
１２…ベース部
１２ａ…凸部
１３…口金部
１３ａ…係合突起部
１３ｂ…切欠部
１４…端子部
１７…給電端子
【図１】
2008140570.tif 000003
【図２】
2008140570.tif 000004
【図３】
2008140570.tif 000005
【図４】
2008140570.tif 000006
【図５】
2008140570.tif 000007